(57)【要約】【課題】  ユーザが所望のデータを特定の識別情報等を用いて記憶手段から読み出すような構成のものにて、データに対するユーザ操作に起因して、識別情報により読出対象となるデータに対するアクセスができなくなるといった問題に対処できる技術を提供すること。【解決手段】  識別情報が関連付けられているファイルと、識別情報が関連付けられていないファイルと、を含むファイル群を保持する。処理対象のファイルを選択する。選択されたファイルに係る変更処理を行う指示の入力を検知した場合には、このファイルに識別情報が関連付けられているか否かを判断する。関連付けられていると判断した場合には、この変更処理の継続をユーザに確認させるための表示を行う。【選択図】  図１２
2007249546.tif 000002
【特許請求の範囲】
【請求項１】
識別情報が関連付けられているファイルと、識別情報が関連付けられていないファイルと、を含むファイル群を保持可能な保持手段が保持するファイルのうち、処理対象のファイルを選択する選択手段と、
前記選択手段によって選択されたファイルに係る変更処理を行う指示の入力を検知した場合には、当該ファイルに識別情報が関連付けられているか否かを判断する判断手段と、
前記判断手段が関連付けられていると判断した場合には、当該変更処理の継続をユーザに確認させるための表示を行う表示制御手段と
を備えることを特徴とするデータ処理装置。
【請求項２】
前記変更処理は、ファイルの格納先の変更、ファイル名の変更を含むことを特徴とする請求項１に記載のデータ処理装置。
【請求項３】
更に、前記選択手段により選択されたファイルに識別情報が関連付けられている場合には、当該ファイルに従った画像と共に、当該識別情報を示す画像情報を出力する出力手段を備えることを特徴とする請求項１に記載のデータ処理装置。
【請求項４】
更に、
ファイルのデータに基づいた第１の画像と、当該ファイルの識別情報に基いた第２の画像がプリントされた印刷媒体をスキャンすることで、当該印刷媒体の画像データを取得する取得手段と、
前記取得手段が取得した画像データ中の前記第２の画像を識別し、対応するファイルを前記保持手段から取り出し、外部に出力する出力手段と
を備えることを特徴とする請求項１に記載のデータ処理装置。
【請求項５】
更に、
識別情報が関連付けられているファイルについて変更処理を行った場合には、当該変更のログを記録する記録手段を備えることを特徴とする請求項１に記載のデータ処理装置。
【請求項６】
出力対象のファイルの格納場所を指示する第１の指示手段と、
前記第１の指示手段が指示した格納場所におけるファイルが獲得できなかった場合に行う処理を指示する第２の指示手段と、
前記第２の指示手段が指示した処理に係るパラメータを指示する第３の指示手段と、
前記第１乃至３の指示手段が指示した内容を示す情報を、前記出力対象のファイルと共に出力する出力手段と
を備えることを特徴とするデータ処理装置。
【請求項７】
出力対象ファイルの格納場所と、当該出力対象ファイルが獲得できなかった場合に行う処理と、当該処理に係るパラメータと、を示す識別情報が記録された印刷物を画像データとして読み取る読み取り手段と、
前記識別情報を解析し、前記出力対象ファイルを検索する検索手段と、
前記検索手段による検索の結果、前記出力対象ファイルが存在した場合には、当該出力対象ファイルを出力する出力手段と、
前記検索手段による検索の結果、前記出力対象ファイルが存在しなかった場合には、前記処理を実行する処理手段と
を備えることを特徴とするデータ処理装置。
【請求項８】
前記出力対象ファイルが獲得できなかった場合に行う処理が、前記出力対象ファイルと類似しているファイルの検索であり、
前記処理手段は、前記出力対象ファイルと類似しているファイルを検索し、当該検索したファイルを、前記出力対象ファイルの代わりに出力することを特徴とする請求項７に記載のデータ処理装置。
【請求項９】
前記出力対象ファイルが獲得できなかった場合に行う処理が、特定のメッセージを表示することであり、
前記処理手段は、前記特定のメッセージを前記データ処理装置が有する表示画面上に表示することを特徴とする請求項７に記載のデータ処理装置。
【請求項１０】
識別情報が関連付けられているファイルと、識別情報が関連付けられていないファイルと、を含むファイル群を保持可能な保持手段が保持するファイルのうち、処理対象のファイルを選択する選択工程と、
前記選択工程で選択されたファイルに係る変更処理を行う指示の入力を検知した場合には、当該ファイルに識別情報が関連付けられているか否かを判断する判断工程と、
前記判断工程で関連付けられていると判断した場合には、当該変更処理の継続をユーザに確認させるための表示を行う表示制御工程と
を備えることを特徴とするデータ処理方法。
【請求項１１】
出力対象のファイルの格納場所を指示する第１の指示工程と、
前記第１の指示工程で指示した格納場所におけるファイルが獲得できなかった場合に行う処理を指示する第２の指示工程と、
前記第２の指示工程で指示した処理に係るパラメータを指示する第３の指示工程と、
前記第１乃至３の指示工程で指示した内容を示す情報を、前記出力対象のファイルと共に出力する出力工程と
を備えることを特徴とするデータ処理方法。
【請求項１２】
出力対象ファイルの格納場所と、当該出力対象ファイルが獲得できなかった場合に行う処理と、当該処理に係るパラメータと、を示す識別情報が記録された印刷物を画像データとして読み取る読み取り工程と、
前記識別情報を解析し、前記出力対象ファイルを検索する検索工程と、
前記検索工程による検索の結果、前記出力対象ファイルが存在した場合には、当該出力対象ファイルを出力する出力工程と、
前記検索工程による検索の結果、前記出力対象ファイルが存在しなかった場合には、前記処理を実行する処理工程と
を備えることを特徴とするデータ処理方法。
【請求項１３】
コンピュータに請求項１０乃至１２の何れか１項に記載のデータ処理方法を実行させるためのプログラム。
【請求項１４】
請求項１３に記載のプログラムを格納したことを特徴とする、コンピュータ読み取り可能な記憶媒体。
【発明の詳細な説明】
【技術分野】
【０００１】
本発明は、データの管理技術に関するものである。
【背景技術】
【０００２】
大容量のハードディスク（ＨＤ）を備えたデジタル画像形成装置が従来から存在している。このような画像形成装置は、ネットワークを介してホストコンピュータからＰＤＬ（ページ記述言語）データを受け取り、ＰＤＬデータからビットマップ画像に展開し、一旦ＨＤに格納する。そしてその後、ＨＤから画像を読み出してプリントアウトすることが可能である（特許文献１参照）。
【０００３】
又、ＨＤの記憶領域を個人別に分けて、ホストコンピュータから受け取った画像を、ホストコンピュータにより指定された領域（パーソナルボックス）に一旦格納し、パーソナルボックスから画像をプリントアウトすることも可能である。
【０００４】
そして更に、ビットマップ画像に固有の識別情報を付与するとともに、付与した識別情報と関連付けてＨＤに記憶しておき、ＨＤから画像を読み出してプリントアウトを行なう際、識別情報を付加することが提案されている。
【０００５】
これは例えば、コピー操作時において、原稿のイメージをスキャナで取り込む際、まず、スキャン・イメージ中に識別情報があるかどうかを確認する。識別情報が見つかれば、次いで、該当する識別情報をＨＤの中で検索する。もし、ＨＤの中で識別情報が見つかれば、スキャン・イメージを廃棄し、これに代わって識別情報に関連付けられた画像データをＨＤから取り出して、通常のプリント・データ処理操作によってプリントアウトを行なう。取り出された画像データは、ＰＤＬデータを展開したオリジナルデータであり、したがって、プリントイメージの印字品質が確保される等のメリットを有する。
【０００６】
また、近年、原稿のコピーの繰り返しによる画像劣化を防止する技術として、ＱＲ（Ｑｕｉｃｋ  Ｒｅｓｐｏｎｓｅ）コードや透かしといった技術を利用し、オリジナルの電子文書の記憶先を付加情報として原稿中に埋め込む画像形成システムが提案されている（特許文献２参照）。これにより例えば複写機などのスキャナから情報付加原稿をスキャンした際には、付加情報を検出し、これに基づいてオリジナルの電子文書を取得し、プリント可能となる。
【０００７】
また、上記のような技術を用いることで、大量ページ数の紙文書の配布を効率化することも期待される。例えば、配布する紙文書は電子文書の記憶先を付加した表紙や目次、案内書き等の１、２枚のページ数の情報付加原稿とし、配布先においてこれをスキャナからスキャンし、オリジナルの電子文書を取得、プリントするように構成する事が想定されうる。
【特許文献１】米国特許第6476933号
【特許文献２】特開2005-149096号公報
【発明の開示】
【発明が解決しようとする課題】
【０００８】
上述の特許文献1で例示の技術や特許文献２の技術で例示の技術等は、例えばユーザが所望のデータを特定の識別情報等を用いて記憶手段から読み出すような構成が採用される事が予想される。そこで、このような構成を想定してみると、例えば、所望のデータを記憶手段から読み出す為の情報が付加された電子文書が記憶手段から検索できないような状況が発生しうると考える。例えば、特許文献1が如くの技術を利用することで、例えば、記憶手段に設けられた特定の記憶領域に相当するパーソナルボックスの所有者であれば、自由に自分のパーソナルボックスに格納された画像データにアクセスする事ことが可能となる。
【０００９】
換言すると、記憶手段内の、識別情報と関連付けられた画像データに関しても所有者が自由に移動や削除などの操作を行なう事が可能である。故に、例えば記憶手段内の、該記憶手段からデータを読み出す為の識別情報と関連付けられた画像データを、該画像データの所有者が誤って該記憶手段から破棄または変更してしまった場合、変更前の識別情報を装置が受付けても、該情報により読出対象であったはずのオリジナルの画像データが発見できない状況が懸念される。
【００１０】
そこで本発明は以上の問題に鑑みてなされたものであり、例えば識別情報により読出対象となるデータに対するアクセスができなくなる等の問題が生じる事を防止できるようにする技術を提供する事を目的とする。特に、例えば、識別情報と関連付けられて保持されているファイルが後に使用される可能性を考慮し、このファイルに関する変更がなされる場合には、この変更の前にユーザに確認させるための技術を提供することを目的とする。
【００１１】
また、上記従来の画像形成システムを想定してみると、例えば、付加情報により示される電子文書が削除されたりあるいは移動されると、ユーザは所望の成果物（例えば所望の電子文書の出力物）を得ることができない可能性が懸念される。またこのような状況が発生した場合、ユーザは、その成果物を得ることができない理由が分らないといった状況が懸念される。加えて、もしこのような状況が発生した場合に、その後の対処方法も分らないといった状況も懸念される。このような従来の画像形成システムの技術にて懸念されうる利便性の問題を解決する為の技術を提供することを目的とする。
【００１２】
又上述のような背景技術のものにて例えば上記課題に対応策としてスキャン画像から電子文書を生成する技術を適用ことも可能ではあると考える。しかし、このような構成では、必ずしも情報付加原稿の作成者の意図に沿ったものではない点が懸念される。換言すると例えば、有効性など期限的な事由により当該電子文書を削除した場合や、管理上の事由により記憶先を移動しその後改定を行った場合などでは、スキャン画像から電子文書を生成することは望ましくない可能性がある。
【００１３】
本発明の別の目的は、このような状況下にあっても、情報が付加されたファイルの作成者の意図に沿い、かつユーザの利便性を損ねることのない印刷技術を提供することにある。
【課題を解決するための手段】
【００１４】
本発明の目的を達成するために、例えば、本発明のデータ処理装置は以下の構成を備える。
【００１５】
即ち、識別情報が関連付けられているファイルと、識別情報が関連付けられていないファイルと、を含むファイル群を保持可能な保持手段が保持するファイルのうち、処理対象のファイルを選択する選択手段と、
前記選択手段によって選択されたファイルに係る変更処理を行う指示の入力を検知した場合には、当該ファイルに識別情報が関連付けられているか否かを判断する判断手段と、
前記判断手段が関連付けられていると判断した場合には、当該変更処理の継続をユーザに確認させるための表示を行う表示制御手段と
を備えることを特徴とする。
【００１６】
本発明の目的を達成するために、例えば、本発明のデータ処理装置は以下の構成を備える。
【００１７】
即ち、出力対象のファイルの格納場所を指示する第１の指示手段と、
前記第１の指示手段が指示した格納場所におけるファイルが獲得できなかった場合に行う処理を指示する第２の指示手段と、
前記第２の指示手段が指示した処理に係るパラメータを指示する第３の指示手段と、
前記第１乃至３の指示手段が指示した内容を示す情報を、前記出力対象のファイルと共に出力する出力手段と
を備えることを特徴とする。
【００１８】
本発明の目的を達成するために、例えば、本発明のデータ処理装置は以下の構成を備える。
【００１９】
即ち、出力対象ファイルの格納場所と、当該出力対象ファイルが獲得できなかった場合に行う処理と、当該処理に係るパラメータと、を示す識別情報が記録された印刷物を画像データとして読み取る読み取り手段と、
前記識別情報を解析し、前記出力対象ファイルを検索する検索手段と、
前記検索手段による検索の結果、前記出力対象ファイルが存在した場合には、当該出力対象ファイルを出力する出力手段と、
前記検索手段による検索の結果、前記出力対象ファイルが存在しなかった場合には、前記処理を実行する処理手段と
を備えることを特徴とする。
【００２０】
本発明の目的を達成するために、例えば、本発明のデータ処理方法は以下の構成を備える。
【００２１】
即ち、識別情報が関連付けられているファイルと、識別情報が関連付けられていないファイルと、を含むファイル群を保持可能な保持手段が保持するファイルのうち、処理対象のファイルを選択する選択工程と、
前記選択工程で選択されたファイルに係る変更処理を行う指示の入力を検知した場合には、当該ファイルに識別情報が関連付けられているか否かを判断する判断工程と、
前記判断工程で関連付けられていると判断した場合には、当該変更処理の継続をユーザに確認させるための表示を行う表示制御工程と
を備えることを特徴とする。
【００２２】
本発明の目的を達成するために、例えば、本発明のデータ処理方法は以下の構成を備える。
【００２３】
即ち、出力対象のファイルの格納場所を指示する第１の指示工程と、
前記第１の指示工程で指示した格納場所におけるファイルが獲得できなかった場合に行う処理を指示する第２の指示工程と、
前記第２の指示工程で指示した処理に係るパラメータを指示する第３の指示工程と、
前記第１乃至３の指示工程で指示した内容を示す情報を、前記出力対象のファイルと共に出力する出力工程と
を備えることを特徴とする。
【００２４】
本発明の目的を達成するために、例えば、本発明のデータ処理方法は以下の構成を備える。
【００２５】
即ち、出力対象ファイルの格納場所と、当該出力対象ファイルが獲得できなかった場合に行う処理と、当該処理に係るパラメータと、を示す識別情報が記録された印刷物を画像データとして読み取る読み取り工程と、
前記識別情報を解析し、前記出力対象ファイルを検索する検索工程と、
前記検索工程による検索の結果、前記出力対象ファイルが存在した場合には、当該出力対象ファイルを出力する出力工程と、
前記検索工程による検索の結果、前記出力対象ファイルが存在しなかった場合には、前記処理を実行する処理工程と
を備えることを特徴とする。
【発明の効果】
【００２６】
本発明の構成によれば、技術背景で想定したような状況に対処可能となる。例えば、ユーザが所望のデータを特定の識別情報等を用いて記憶手段から読み出すような構成のものにて、データに対するユーザ操作に起因して、識別情報により読出対象となるデータに対するアクセスができなくなるといった問題に対処できる。
【００２７】
特に例えば、識別情報と関連付けられて保持されているファイルが後に使用される可能性を考慮し、このファイルに関する変更がなされる場合には、この変更の前にユーザに確認させることができる。また例えば、情報が付加されたファイルの作成者の意図に沿い、かつユーザの利便性を損ねることのない印刷技術を提供することができる。
【発明を実施するための最良の形態】
【００２８】
以下添付図面を参照して、本発明を好適な実施形態に従って詳細に説明する。
【００２９】
［第１の実施形態］
図１は、本実施形態に係る画像処理装置を適用する複写機の断面構成を示す図である。同図において１００は複写機本体で、１８０は自動原稿送り装置（ＤＦ）である。
【００３０】
１０１は原稿載置台としてのプラテンガラスである。１０２はスキャナで、原稿照明ランプ１０３、走査ミラー１０４等で構成されている。不図示のモータによりスキャナ１０２が所定方向に往復され、プラテンガラス１０１上の原稿からの反射光１０７は走査ミラー１０４〜１０６、レンズ１０８を介してＣＣＤセンサ（イメージセンサ部）１０９に結像する。
【００３１】
１２０はレーザ、ポリゴンスキャナ等で構成された露光制御部である。露光制御部１２０はイメージセンサ部１０９で電気信号に変換され、後述する所定の画像処理が行われた画像信号に基づいて変調されたレーザ光１２９を感光体ドラム１１０に照射する。
【００３２】
感光体ドラム１１０の回りには、１次帯電器１１２、現像器１２１、転写帯電器１１８、クリーニング装置、前露光ランプ１１４が装備されている。
【００３３】
画像形成部１２６において、感光体ドラム１１０は不図示のモータにより同図に示す矢印の方向に回転しており、１次帯電器１１２により所望の電位に帯電された後、露光制御部１２０からのレーザ光１２９が照射され、静電潜像が形成される。感光体ドラム１１０上に形成された静電潜像は、現像器１２１により現像されて、トナー像として可視化される。一方、上段カセット１３１あるいは下段カセット１３２からピックアップローラ１３３，１３４により給紙された転写紙は、給紙ローラ１３５、１３６により本体に送られ、レジストローラ１３７により転写ベルト１３０へ向けて給紙され、可視化されたトナー像が転写帯電器１１８により転写紙に転写される。転写後の感光体ドラム１１０は、クリーニング装置により残留トナーが清掃され、前露光ランプ１１４により残留電荷が消去される。
【００３４】
転写後の転写紙は、転写ベルト１３０から分離され、定着前帯電器１３９，１４０によりトナー画像が再帯電され、定着器１４１に送られる。トナー画像は定着器１４１で加圧、加熱により定着され、排出ローラ１６１により本体１００の外に排出される。
【００３５】
本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、例えば１００枚の転写紙を収容し得る、マルチ手差し１５３が装備されている。
【００３６】
さらに、排紙フラッパは、両面記録側ないし多重記録側と排紙側の経路を切り替える。排紙ローラ１４２から送り出された転写紙は、この排紙フラッパにより排紙側及び両面記録・多重記録側のいずれかに切り替えられる。また、下搬送パスは排紙ローラ１４２から送り出された転写紙を再排紙トレイ１５６に導く。給紙ローラは、経路１６０を通じて転写紙を画像形成部１２６側に給紙する。１６１は排紙フラッパの近傍に配置されており、この排紙フラッパにより排出側に切り替えられた転写紙を本体１００の外に排出する排出ローラである。両面記録（両面複写）時には、排紙フラッパを上方に上げて、複写済みの転写紙を搬送パスを介して裏返した状態で再給紙トレイ１５６に格納する。
【００３７】
本体１００から転写紙を反転して排出する時には、排紙フラッパを上方へ上げ、多重フラッパ１５７を右方向へ倒し、複写済みの転写紙を搬送パス側へ搬送し、転写紙の後端が第１の送りローラ１６２を通過した後に、反転ローラ１６３によって第２の送りローラ１６２ａ側へ搬送し、排出ローラ１６１によって、転写紙を裏返して本体１００の外へ排出される。また、排紙処理装置１９０は、本体１００から排出した転写紙を処理トレイ１９３上でそろえてステイプルする。そして、ステイプルされた転写紙は排紙トレイ１９１、１９２のどちらかに束で排出される。排紙トレイ１９１，１９２は不図示のモータにより上下に移動制御される。
【００３８】
図２は、本体１００の制御系に係るハードウェア構成を示すブロック図である。
【００３９】
ＣＰＵ１７１は、ＲＯＭ１７４やＲＡＭ１７５に格納されているプログラムやデータを用いて処理を実行することで、本体１００を構成する各部の動作制御を行うと共に、複写機が行う後述の各処理を実行、若しくは実行制御する。
【００４０】
ＲＯＭ１７４には、複写機が行う後述の各処理をＣＰＵ１７１に実行させるためのプログラムやデータが格納されている。このプログラムやデータは適宜ＲＡＭ１７５にロードされ、ＣＰＵ１７１による処理対象となる。
【００４１】
ＲＡＭ１７５は、ＲＯＭ１７４からロードされたプログラムやデータ、外部Ｉ／Ｆ処理部４を介してホストコンピュータ１０００から受信したデータ等を一時的に記憶するためのエリアを有する。またＲＡＭ１７５は、ＣＰＵ１７１が各種の処理を実行する際に用いるワークエリアも有する。即ち、ＲＡＭ１７５は、各種のエリアを適宜提供することができる。
【００４２】
操作部１７２は、物理的なボタン群と、タッチパネル式の液晶画面とで構成されており、これらを操作することで各種の操作指示が入力可能であると共に、各種の画面を表示することができる。入出力ポート（Ｉ／Ｏ）１７３には、複写機を制御するモータ、クラッチ等の各種負荷（不図示）や、紙の位置を検知するセンサー（不図示）等が接続されている。画像処理部１は、イメージセンサ部１０９で電気信号に変換された信号を処理する。画像メモリ部３は、処理済みの画像データを蓄積する。
【００４３】
また、外部Ｉ／Ｆ処理部４は、外部のホストコンピュータ１０００から出力されたＰＤＬをビットマップ画像に展開し、画像データとして画像メモリ部３に出力する。更にＣＰＵ１７１はクロック信号発生部１７６から出力される信号に基づき現時刻を認識する時計機能を備えている。プリンタ部２は、紙などの記録媒体上に画像を記録する。
【００４４】
図３は、画像処理部１とプリンタ部２の詳細な構成を示すブロック図である。
【００４５】
レンズ１０８を介してＣＣＤセンサ１０９に結像された原稿画像は、ＣＣＤセンサ１０９によりアナログ電気信号に変換される。変換された画像情報はＡ／Ｄ変換部５０１に入力され、サンプル＆ホールド、ダークレベルの補正等が行われた後に、アナログ・デジタル変換（Ａ／Ｄ変換）される。デジタル化された信号はシューティング補正（原稿を読み取るセンサのばらつき、及び原稿照明用ランプの配光特性の補正）される。
【００４６】
ｌｏｇ変換部５０２は、輝度データを濃度データに変換するためのＬＵＴ（ルック・アップ・テーブル）を予め保持しており、Ａ／Ｄ変換部５０１から入力された輝度データに対応する濃度データを、このＬＵＴを参照して特定し、変倍部５０３に出力する。変倍処理部５０３は、ｌｏｇ変換部５０２より受けた画像データに対して変倍処理を施し、変倍処理済みの画像データをγ補正部５０４に出力する。
【００４７】
γ補正部５０４では、濃度データを出力する際に、プリンタ部２の特性を考慮したＬＵＴを用いた変換を行い、操作部１７２で予め設定された濃度値に応じた出力の調整を行う。ガンマ補正部５０４による処理済みの濃度データは２値化部５０５に出力する。２値化部５０５は、多値の濃度値を「０」、「２５５」の何れか近い方に変換し、更に「０」をに「０」変換し、「２５５」を「１」に変換することで、２値濃度データを作成する。これにより、メモリに記憶する画像データ量が小さくなる。
【００４８】
２値化された画像データは、画像メモリ部３に送られる。また、外部Ｉ／Ｆ処理部４から入力される「ホストコンピュータ１０００から出力されたＰＤＬを展開したビットマップ画像データ」は、外部Ｉ／Ｆ処理部４で２値画像データとして処理されているため、そのまま画像メモリ部３に出力される。
【００４９】
画像メモリ部３から出力された画像データは、プリンタ部２が有するスムージング部５０６に送られる。スムージング部５０６は、２値化した画像の線端部が滑らかになるようにデータ補間処理を行い、露光制御部１２０に補間処理済みの画像データを出力する。露光制御部１２０では入力された画像データに基づいて転写紙上に画像を記録する。
【００５０】
図４は、画像メモリ部３の詳細な構成を示すブロック図である。同図に示す如く、画像メモリ部３は、ページメモリ部３０１、メモリーコントローラ部３０２、圧縮部３０３、そしてＨＤ（ハードディスク）３０４により構成されている。画像メモリ部３では、ＣＰＵ１７１からの指示に従い、メモリーコントローラ部３０２が外部Ｉ／Ｆ処理部４若しくは画像処理部１から受けた２値化像をページメモリ部３０１に書き込む処理を行ったり、プリンタ部２への画像送出処理を行ったり、ＨＤ３０４への画像入出力アクセス等を行う。
【００５１】
図５は、操作部１７２の構成例を示す図である。同図において、６２１は複写機の電源が入っているかどうかを示す為のパワーランプであり、パワースイッチ６１３を押下し、電源がオンになっている場合には点灯する。６２２はテンキーであり、画像形成枚数の設定やモード設定の数値入力等に使用する。また、ファクシミリ設定画面では、電話番号の入力に使用する。クリアキー６２３は、テンキー６２２を用いて入力した設定を無効にする為に押下するものである。リセットキー６１６は、設定された画像形成枚数や動作モード、選択給紙段等のモードを既定値に戻す為に押下するものである。
【００５２】
スタートキー６１４は、画像形成を開始する為に押下するものである。スタートキー６１４の中央部分には、画像形成開始可能か否か示す為の赤色とグリーンのＬＥＤ（不図示）が配置されており、画像形成が開始できない場合には赤色のＬＥＤが点灯するし、画像形成が開始できる場合にはグリーンのＬＥＤが点灯する。複写動作を停止する場合はストップキー６１５を押下する。ガイドキー６１７は、あるキー機能が分からない場合に押下するキーであり、機能が分からないキーの説明を表示パネル６２０に表示する指示を入力するためのものである。
【００５３】
ユーザー設定キー６１８は、複写機の設定を変更する場合に押下するキーである。割り込みキー６１９は、画像形成動作中にユーザが他の作業をしたい場合に押下するキーである。
【００５４】
表示パネル６２０はタッチパネル式の液晶画面等で構成され、詳細なモード設定を容易にすべく、設定モードに応じてその表示内容が変わる。また表示パネル６２０の表面はタッチセンサーになっており、パネル内に表示されている機能の枠内に触れることにより、対応する機能が実行されることになる。表示パネル６２０上に表示されている用紙選択キー６２７は、複写用紙の選択を行う為に押下するキーである。６２８〜６３０の各キーは、複写倍率を設定する際に使用するキーである。
【００５５】
両面動作設定キー６２４は、例えば、片面原稿２枚を両面原稿で出力する「片−両モード」、両面原稿を両面原稿で出力する「両−両モード」、両面原稿を片面原稿２枚で出力する「両−片モード」等の設定を行う為に押下するキーである。ソートキー６２５は、排紙処理装置１９０の動作モードの設定や出力紙の仕分けモードを設定する為に押下するキーである。
【００５６】
表示パネル６２０内に表示されているキーのうち使用できないキーについては、その表示部分を点線（網掛け）にすることで、そのキーが操作できないことを表すようにする。また、表示パネル６２０内の上方箇所には、設定した複写動作の内容を示す表示や、現在の動作状態が表示される。そして、表示パネル６２０内の下方には、その他の機能モードの動作状態が、一ラインで表示できる範囲で表示される。
【００５７】
応用モードキー６２６は、多重動作や縮小レイアウトモード、表紙・合紙モード等の応用機能モードを設定する為に押下するキーであり、応用モードキー６２６を押下すると、表示パネル６２０の表示画面上には図６に示すような画面が表示される。図６は、各応用機能モードの設定するための画面の表示例を示す図である。ユーザはこの画面上で応用機能モードを設定する。
【００５８】
６３４はパーソナルボックスキーであり、画像メモリ部３内のＨＤ３０４に記憶されている画像データをプリントアウトする為に押下するキーである。このキー６３４を押下すると、図８に示す画面が表示パネル６２０に表示される。図８に示す画面については後述する。
【００５９】
以上説明した操作部１７２を構成する各部を押下したり、指示したりすると、その操作情報はＣＰＵ１７１に通知されるので、ＣＰＵ１７１は受けた操作情報に基づいて、対応する処理、制御を行う。これにより、操作部１７２上における操作に対応する動作が、ＣＰＵ１７１による動作によってなされることになる。
【００６０】
また、操作部１７２の構成については図５に示したものに限定するものではなく、適宜変形例が考えられる。
【００６１】
次に、パーソナルボックスについて説明する。図７は、ＨＤ３０４内に設けられるパーソナルボックスについて説明する図である。ＨＤ３０４内には、テンポラリ領域９００とパーソナルボックス領域９０１とが設けられている。同図ではＨＤ３０４全体の容量を１ＧＢ、テンポラリ領域９００の容量を３００ＭＢ、パーソナルボックス領域９０１の容量を７００ＭＢとしている。もちろん、それぞれの容量はこれに限定するものではない。
【００６２】
テンポラリ領域９００は、電子ソートを行うために画像データを一時的に記憶させる際に使用する領域であり、ジョブ終了後に、それらの画像データは消去される。
【００６３】
パーソナルボックス領域９０１は、複数のパーソナルボックスから成る領域である。同図では１０個のパーソナルボックスから成り、鈴木用のパーソナルボックス９０２，田中用のパーソナルボックス９０３，山本用のパーソナルボックス９０４、、、加藤用のパーソナルボックス９０５が設けられている。また、それぞれのパーソナルボックスには番号（パーソナルボックス番号）が付けられている。同図では、パーソナルボックス９０２のパーソナルボックス番号は「０」、パーソナルボックス９０３のパーソナルボックス番号は「１」、パーソナルボックス９０４のパーソナルボックス番号は「２」というように付けられている。
【００６４】
外部Ｉ／Ｆ処理部４はホストコンピュータ１０００からＰＤＬ画像（ファイル）を受信すると、これを展開して画像データを得る。メモリコントローラ部３０２は、この画像データを、ＰＤＬ画像と共にホストコンピュータ１０００から受信したパーソナルボックス番号に対応するパーソナルボックスに格納する。
【００６５】
各パーソナルボックスの容量は全て同じであり、例えばパーソナルボックスの数が１０である場合、パーソナルボックス領域９０１の容量が７００ＭＢであるので、１つのパーソナルボックスの容量は７０ＭＢとなる。
【００６６】
また、操作部１７２を操作して、印刷対象の画像データが格納されているパーソナルボックスを指定すると、指定したパーソナルボックスに対応したパスワードの入力を促す画面が表示パネル６２０に表示される。ユーザは操作部１７２を用いてパスワードを入力し、これが認証されると、指定した画像データがメモリコントローラ部３０２により読み出され、プリンタ部２に転送されるので、プリンタ部２はこの画像データに基づいてプリント処理を行う。
【００６７】
図８は、パーソナルボックスの基本画面の表示例を示す図である。上述の通り、同図の画面は、キー６３４を指示することで、表示パネル６２０に表示されるものである。９０１ａは画面全体であり、ＨＤ３０４内に設けられている各パーソナルボックスに、ホストコンピュータ１０００から受信したＰＤＬ画像を展開した画像データが格納されていることを表示する画面である。
【００６８】
同図では、鈴木用のパーソナルボックス、田中用のパーソナルボックス、山本用のパーソナルボックスに係る情報が表示されている。
【００６９】
９０２ａ、９０３ａ、９０４ａはそれぞれ、鈴木用のパーソナルボックス、田中用のパーソナルボックス、山本用のパーソナルボックスを指示するためのボタン画像であり、このボタン画像には対応するパーソナルボックスの番号が表示されている。また、同図では、田中用のパーソナルボックスが指示されているので、ボタン画像９０３ａの表示色がその他のボタン画像の表示色とは異なっている。また、指定されているボタン画像上には、指定されていないボタン画像とは異なるアイコンが表示されている。
【００７０】
また、何れかのボタン画像を指示すると、指示したボタン画像に対応するユーザに応じたパスワードの入力を促す画面が表示パネル６２０に表示される。ユーザは操作部１７２を用いてパスワードを入力するので、これが認証されると、指示したボタン画像に対応するパーソナルボックスを開くことができる。即ち、個々のユーザは、自身が知っているパスワードでもって自身のパーソナルボックスを開くことができる。
【００７１】
また、それぞれのパーソナルボックスの欄の右端に表示されているパーセント表示は、パーソナルボックス領域９０１全体の容量に対して、そのパーソナルボックスが使用している容量の割合を示す。例えば、パーソナルボックス領域９０１の容量が７００ＭＢである場合、パーソナルボックス番号１のパーソナルボックス（田中のパーソナルボックス）はその２％（約１４ＭＢ）を使用しているということを示す。
【００７２】
９０６，９０７はそれぞれ上下スクロールキーである。同図では鈴木用のパーソナルボックス、田中用のパーソナルボックス、山本用のパーソナルボックスのそれぞれに係る情報を表示しているが、これ以外のパーソナルボックスが存在する場合にはこのパーソナルボックスに係る情報は表示しきれない。そこでそのような場合には、このスクロールキー９０６，９０７を指示することで、パーソナルボックスに係る情報を表示する領域内を上下にスクロールさせることができる。これにより、その他のパーソナルボックスに係る情報を表示パネル６２０に表示させることができる。
【００７３】
９０９は、ファックス状況キーであり、押下することで、ファックス送受信の状態を確認することができる。
【００７４】
ここで、本実施形態では、ＨＤ３０４（パーソナルボックス）に画像データを格納する形態には２種類あるとする。即ち、格納する画像データを識別するための識別情報を作成し、作成したこの識別情報とこの画像データとを関連付けてＨＤ３０４に格納する形態と、識別情報を作成せずに、画像データのみをＨＤ３０４に格納する形態の２種類である。本実施形態では、前者の形態でもって画像データを格納する場合には、画像格納時に「オリジナル出力モード」を設定する。
【００７５】
図９は、オリジナル出力モードを設定したことによる複写機の動作を示す図である。複写機が有する上記パーソナルボックスに画像データを登録する為に、この画像データの識別情報を作成し、この画像データに関連付けて登録する場合には、事前にオリジナル出力モードを設定する必要がある。このモードの設定は、ホストコンピュータ１０００からＰＤＬ画像データを送信する際に、コンピュータ１０００側で設定するようにしても良い。また、複写機側で画像データをパーソナルボックスに登録する際に、操作部１７２を用いて設定するようにしても良い。
【００７６】
オリジナル出力モードが設定されている画像データをパーソナルボックスに登録する場合には、先ず、この画像データに固有の識別情報を作成し、作成した識別情報を管理ファイル７０１に追加登録する。識別情報としては、この識別情報に対応する画像データを格納するパーソナルボックスの番号、この画像データの画像ファイル名、その作成日等、識別情報に対応する画像データの登録先を示す情報が含まれている。そして、この画像データを管理ファイル７０１と関連付けてＨＤ３０４に格納する。より具体的には、画像データを、管理ファイル７０１中におけるこの画像データの識別情報とリンクさせてＨＤ３０４に格納する。これにより、この画像データは対応する識別情報と関連付けてＨＤ３０４に格納されることになる。
【００７７】
更に、この画像データをプリンタ部２でもってプリントする際、この画像データの識別情報をグラフィック・コード７０２として作成し、この画像データと共にプリンタ部２に送出する。なお、このグラフィック・コード７０２は同図では２次元バーコードとしているが、画像データと同じ紙面上にプリントされるのであれば、如何なる形態を用いても良く、例えば、識別情報を電子透かしとして画像データに埋め込んでプリントするようにしても良い。しかし、識別情報は、元の印刷画像を損なわないように、用紙の周縁部分にプリントすることが好ましい。また、識別情報は、肉眼で不可視な埋込み画像、若しくは、原稿の裏面に付された画像であってもよい。
【００７８】
同図において７００は、パーソナルボックスから読み出された画像データと、この画像データの識別情報に基づくグラフィック・コード７０２と、を同じ紙面上にプリントしたプリント物である。
【００７９】
次に、このプリント物７００を上記スキャナ１０２、画像処理部１により画像データとして読み取った場合に、複写機が行う処理について説明する。上記スキャナ１０２、画像処理部１によりプリント物７００を画像データ（プリント物画像データ）として読み取った後に、このプリント物７００を複写したり、ファックス転送したり、ホストコンピュータ１０００に転送したりする指示を操作部１７２を用いて入力すると、プリント物画像データ中のグラフィック・コード７０２を検索する。この検索の結果、グラフィック・コード７０２が見つかった場合には、このグラフィック・コード７０２に基づいて、プリント物７００上にプリントされた画像（グラフィック・コード７０２以外の画像）の識別情報を復元し、この画像のオリジナルデータの格納先を特定する。そして特定した格納先からオリジナルデータを読み出し、指示された出力先に送出する。
【００８０】
このように、上記スキャナ１０２、画像処理部１により読み込んだプリント物７００上における画像データを破棄し、オリジナルデータをパーソナルボックスより出力する機能を「オリジナル出力機能」と称する。例えば配布資料としてプリント枚数を削減するため、複数枚で構成される文書一部のみ配布したり、縮小レイアウトモードでプリントすること等を考えると、このオリジナル出力機能を使用することにより、後日、必要に応じて完全な文書データをグラフィック・コード７０２を手がかりに取り出すことが可能となる。なお、画像データについてオリジナル出力モードを設定するということは、即ち、この画像データについてオリジナル出力機能を適用する（設定する）ということである。
【００８１】
また、パーソナルボックス内に格納された画像データは、識別情報と関連付けた画像データと関連付けない画像データの両方が混在し、パスワードによって保護されているが、パスワードを知っている所有者であれば自由にパーソナルボックスに格納された画像データにアクセスすることが可能ある。このため、識別情報と関連付けられた画像データに関しても画像データと関連付けない画像データと同様に消去、移動、あるいは画像ファイル名の変更などの操作を行なうことが可能である。
【００８２】
図１０は、図８に示した画面９０１ａ上におけるボタン画像９０３ａを指示した後に、図１１に示した画面において対応するパスワードを入力し、このパスワードが認証された場合に、表示パネル６２０上に表示される画面の表示例を示す図である。
【００８３】
図８に示した画面９０１ａにおいて、田中のパーソナルボックス内に登録されている情報を参照すべく、ボタン画像９０３ａを指示すると、表示パネル６２０の表示画面上には、図１１に示す画面が表示される。図１１は、パーソナルボックス内に登録されている情報を参照するために、対応するパスワードを入力するための画面の表示例を示す図である。同図において９１１は、これから参照しようとするパーソナルボックスに対応するパスワードを入力するための領域である。例えば、田中のパーソナルボックス内に登録されている情報を参照すべく、ボタン画像９０３ａを指示した場合には、表示パネル６２０の表示画面上には図１１に示す画面が表示されるので、この画面において田中のパーソナルボックスに対応するパスワードを領域９１１に入力する必要がある。パスワードの入力後、ＯＫボタン画像９１２を指示すると、このパスワードに対する認証処理を行う。そしてこの認証が成功すると、図１０に例示した画面が表示されることになる。一方、認証が失敗した場合や、取り消しボタン画像９１３を指示すると、表示パネル６２０の表示画面上には再度、図８に示す画面が表示されることになる。
【００８４】
図１０に示した画面において、９３０は、田中のパーソナルボックス内に登録されている内容を一覧表示する為の画面を示す。９２３，９２４は、それぞれ対応する画像データに係る情報を表示する領域である。領域９２３には対応する画像データの格納日時「３／８の１１：３０」、画像ファイル名「Ａ企画書」、画像データが消去されるまでの日数「７日」、「プリント済み」、が表示されている。領域９２４には対応する画像データの格納日時「３／１１の２１：１４」、画像ファイル名「Ｂ会議資料」、画像データが消去されるまでの日数「６日」、「未プリント」、が表示されている。
【００８５】
即ち、同図の画面では、田中のパーソナルボックスには、２つの画像データ、及びそれぞれの画像データに関する情報が登録されていることになる。画像データの登録は、ホストコンピュータ１０００から行われる。その他の情報（同図では格納日時、画像ファイル名、画像データが消去されるまでの日数、プリント済みか否か）は、複写機側で作成する）。また、この情報の一部は、識別情報に含まれているものもある。
【００８６】
本実施形態では、オリジナル出力機能の有効期間が設定可能であり、画像データを格納した日時とオリジナル出力機能の有効期間に基づき、この画像データを消去あるいは識別情報との関連付けを解除する日時を算出し、この画像データと対応づけて記憶しておく。
【００８７】
領域９２３を参照すると、「Ａ企画案」というファイル（実際に格納しているのはこのファイルの画像データ）を格納した日時が３月８日の１１時３０分で、このオリジナル出力機能の有効期間を１０日としているので、このファイルを消去あるいは識別情報との関連付けを解除する時刻は３月１８日の１１時３０分となる。尚、時間は限定せず、３月１８日の何れかの時刻に処理するようにしても良い。
【００８８】
領域９２３内における表示「消去まで７日」とは、このオリジナル出力機能の有効期間は１０日なので、このファイルは格納されてから３日経過し、あと７日経過するとこのファイルが自動消去されることを示している。これにより、ユーザは自分のパーソナルボックスに格納されているファイルがあと何日経過すると消去されるのかを把握することができる。
【００８９】
また、ここで、右端の「プリント済」とは、対応するファイルをパーソナルボックスに格納してから少なくとも一度、プリントを行ったことを示す。
【００９０】
領域９２４を参照すると、３月１１日の２１時１４分に、「Ｂ会議資料」というファイルをホストコンピュータ１０００からこのパーソナルボックスに格納したことが分かる。ここで、一番右の「未プリント」とは、このファイルをパーソナルボックスに格納してから、まだプリントを行っていないことを示す。
【００９１】
このような画面において、領域９２４を指示すると、同図に示す如く、領域９２４の表示色が反転する。９１６は詳細ボタン画像で、現在指示している領域（同図では領域９２４）に対応するファイルの詳細表示を指示するためのボタン画像である。これは、ホストコンピュータ１０００側で設定した、「Ａ４用紙で両面で３部コピーする」等の情報を詳細に表示するためのものである。また、この表示された画面上で印刷部数を３部から５部に変更することや、新たに縮小レイアウトモードを設定したり、あるいはオリジナル出力機能に係る設定などのジョブ情報の変更も可能となる。
【００９２】
以上説明した各種の設定は、ホストコンピュータ１０００側で行っても良いし、複写機側で行うようにしても良い。
【００９３】
９１７はプリントボタン画像であり、指示することで、現在選択している領域（同図では領域９２４）に対応するファイルのプリントを、印刷ジョブ設定の内容に応じてプリンタ部２によりプリントすることを指示する。９１８は消去ボタン画像であり、現在選択している領域（同図では領域９２４）に対応するファイルをＨＤ３０４から削除することを指示するためのものである。
【００９４】
９２５は変更ボタン画像であり、現在選択している領域（同図では領域９２４）に対応するファイルの格納先を移動させたり、ファイル名を変更したり等、ファイルについて様々な変更を指示するためのものである。なお、このボタン画像９２５を指示すると、表示パネル６２０の表示画面上には、移動先のボックス番号や新たなファイル名等を入力するための画面、即ち、ファイルについての様々な変更を行うための画面が表示されるので、ユーザはこの画面でもって様々な変更を指示することができる。
【００９５】
９１９、９２０はそれぞれ上スクロールボタン画像、下スクロールボタン画像であり、それぞれ指示することで、表示領域９９０内の表示内容を上、下にスクロールさせることができる。
【００９６】
９２２はファックス送受信の状態を確認する為に指示するボタン画像である。９２１は、同画面を閉じ、１つ前の画面（図８に示した画面９０１ａ）に戻るために指示するボタン画像である。
【００９７】
ここで、上述の通り、ＨＤ３０４（パーソナルボックス）に登録している画像データ（ファイル）は図１０に示した画面を用いれば、適宜その格納先やファイル名などを変更したり、削除したりすることができる。即ち、所望のファイルを選択し、選択したファイルについて様々な変更を指示することができる。しかし、変更対象のファイルに識別情報が関連付けられている場合、このような変更を行うと、識別情報との関連付けが解除されてしまうことが想定される。そこで本実施形態では、識別情報が関連付けられているファイルについて変更処理を行う場合には、確認のための表示を行う。
【００９８】
図１２は、ファイルに対して変更処理を指示した場合に、複写機が行う処理のフローチャートである。なお、同図のフローチャートに従った処理をＣＰＵ１７１に実行させるためのプログラムやデータはＲＯＭ１７４に格納されている。このようなプログラムやデータはＣＰＵ１７１による制御に従って適宜ＲＡＭ１７５にロードされる。そしてＣＰＵ１７１はこのロードされたプログラムやデータを用いて処理を実行する。これにより、複写機は以下説明する各処理を実行することになる。
【００９９】
先ず、図１０の画面が表示パネル６２０の表示画面上に表示されている状態において、ステップＳ５０１で変更ボタン画像９２５若しくは消去ボタン画像９１８が指示されたことを検知すると、処理をステップＳ５０２に進める。ステップＳ５０２では、現在選択している領域（図１０では領域９２４）に対応するファイルに識別情報が関連付けられているかをチェックする。このチェックの結果、関連付けられていない場合には、処理をステップＳ５０３に進める。そしてステップＳ５０３では、このファイルについて、指示されたとおりに変更処理を行う。
【０１００】
一方、このチェックの結果、関連付けられている場合には処理をステップＳ５０４に進める。ステップＳ５０４では、変更を行うか否かをユーザに確認させる為の画面を表示パネル６２０の表示画面上に表示する。そしてこの画面において変更を行う旨を指示した場合には同ステップにおいて変更処理を行うし、キャンセルする旨を指示した場合には、同ステップにおいて１つ前の画面を表示パネル６２０の表示画面上に表示する。なお、ファイルについての変更処理を行った場合には、管理ファイル７０１を参照し、このファイルについての識別情報についても同様の変更処理を行う。
【０１０１】
図１３は、識別情報が関連付けられているファイルに対する削除指示を入力した場合に、ステップＳ５０４において表示パネル６２０の表示画面上に表示される確認画面の表示例を示す図である。同図の画面において、ＯＫボタン画像１３０１を指示すると、削除処理を行うし、取り消しボタン画像１３０２を指示すると、削除処理はキャンセルする。
【０１０２】
尚、図１３に示した消去の可否を確認する画面において、オリジナル出力機能の利用状況を把握するために後述するボタン画像１４０３を付加し、消去するかどうかの判断情報として用いても良い。
【０１０３】
次に、ファイルの格納先の移動や、ファイル名の変更を行った場合には、処理をステップＳ５０５を介してステップＳ５０６に進める。そしてステップＳ５０６では、表示パネル６２０の表示画面上に、図１４に例示する画面を表示する。
【０１０４】
図１４は、オリジナル出力機能に関する設定を行うか否かを確認するための画面の表示例を示す図である。ボタン画像１４０１を指示すれば、オリジナル出力機能に関する設定を行う旨を指示できるし、ボタン画像１４０２を指示すれば、オリジナル出力機能に関する設定を行わない旨を指示できる。ボタン画像１４０３を指示すると、表示パネル６２０の表示画面上には図１５に例示する画面が表示される。
【０１０５】
図１５は、現在選択されているファイルについて設定されているオリジナル出力機能の設定の詳細を表示するための画面の表示例を示す図である。同図の画面により、オリジナル出力機能の利用状況を把握することができる。同図に示した有効期限は、前述したファイルに対して設定した有効期間より算出し、オリジナル出力機能が有効な期日を表しており、アクセス回数はオリジナル出力機能が実際に利用され、オリジナルデータが取り出された回数を表している。
【０１０６】
以上の説明により、本実施形態によれば、オリジナル出力機能が設定されたファイルに変更が加えられた場合でも、変更前のファイルに関連付けられている識別情報を特定できるので、オリジナルデータを取り出すことが可能となる。
【０１０７】
［第２の実施形態］
本実施形態では、上記ステップＳ５０４において更に、同ステップにおける変更のログを記す処理を行う。
【０１０８】
図１６は、上記ステップＳ５０４における変更処理に伴って更新される変更ログを示す図である。
【０１０９】
変更ログの項目は、「変更」、「ボックス番号」、「前ボックス番号」、「ファイル名」、「前ファイル名」から構成される。
【０１１０】
「変更」は、オリジナル出力機能が設定されたファイルに変更が加えられたかどうかを識別するためのものであり、「１」の場合には変更されていることを示し、「０」の場合には変更されていないことを示す。
【０１１１】
「ボックス番号」および「前ボックス番号」は、変更後および変更前のボックス番号を表している。
【０１１２】
「ファイル名」および「前ファイル名」は、変更後および変更前のファイル名を表している。
【０１１３】
同図において１６００は、ファイルに変更を加える前の変更ログであり、５つのボックスに各々ファイルが格納されている。
【０１１４】
１６０１は、ボックス番号３５に格納されているファイル名「ｆｆｆ」のファイルをボックス番号３３へ移動する操作を行なった場合に更新された変更ログである。ボックス番号３３にはファイル名「ｘｘｘｘｘｘ」とファイル名「ｆｆｆ」という２つのファイルが格納されている。ここで、ファイル名「ｆｆｆ」のファイルの「変更」は「１」であるので、このファイルは変更が加えられており、変更前はボックス番号３５に格納されていたことが分かる。
【０１１５】
１６０２は、ボックス番号３５に格納されているファイル名「ｆｆｆ」のファイルのファイル名を「ｇｇｇ」に変更する操作を行なった場合に更新された変更ログである。ボックス番号３５に格納されているファイル名「ｇｇｇ」のファイルの「変更」は「１」であるので、このファイルは変更が加えられており、変更前はファイル名「ｆｆｆ」のファイルであったことが分かる。
【０１１６】
それぞれのファイルについてのログは、対応するファイルにリンクされる。これにより、変更されたファイルのログを特定することができる。また、このログ情報についても、グラフィック・コード７０２に含めるようにしても良い。即ち、あるファイルについてパーソナルボックスから取り出す場合には、このファイルの識別情報とログ情報とを示すグラフィック・コード７０２を作成し、このファイルの画像と共に出力する。
【０１１７】
もちろん、グラフィック・コード７０２に含める情報についてはこれに限定するものではなく、様々な情報が考えられる。
【０１１８】
［第３の実施形態］
図１７は、本実施形態に係るシステムの構成例を示す図である。同図に示す如く、本実施形態に係るシステムは、複数台のコンピュータ２００〜２００ｄと、複数台の複写機１００ａ〜１００ｄと、１台のホストコンピュータ１０００と、で構成されており、それぞれの装置間はＬＡＮ３００でもって互いにデータ通信可能なように接続されている。
【０１１９】
このような構成によれば、コンピュータ１００ａ〜１００ｄのそれぞれのユーザは、複写機１００ａ〜１００ｄのうち所望の複写機を選択し、選択した複写機における自身のパーソナルボックスにファイルを格納することができる。また、識別情報に、対応するファイルが何れの複写機のパーソナルボックスから出力されたのかを示す情報（例えばＩＰアドレス）を含ませておけば、複写機１００ａ〜１００ｄの何れかからプリントされた「グラフィック・コード７０２付きのプリント物」を複写機１００ａ〜１００ｄの何れにより読み取っても、複写機は読み取った識別情報を参照することで、どの複写機のパーソナルボックスを参照すればオリジナルデータを取り出すことができるのかを把握することができる。
【０１２０】
さらに、パーソナルボックスをホストコンピュータ１０００内に設け、複写機１００ａ〜１００ｄで共有するようにしても良い。
【０１２１】
［第４の実施形態］
図１８は、本実施形態に係るシステムの構成を示す図である。同図に示す如く、本実施形態に係るシステムは、１台のコンピュータ１８０１（ＰＣ（Ｐｅｒｓｏｎａｌ  Ｃｏｍｐｕｔｅｒ））と、２台の複写機１８０２，１８０３とで構成されており、それぞれは、ネットワーク１８０４でもって互いにデータ通信が可能なように接続されている。本実施形態では説明を簡単にするために、複写機１８０２と複写機１８０３とは同じドメイン（ｃａｎ．ｃｏ．ｊｐ）に参加しているものとする。また、複写機１８０２のホスト名は「ＩＲ０００１」であり、複写機１８０３のホスト名は「ＩＲ０００２」である。
【０１２２】
図１９は、複写機１８０２，１８０３のハードウェア構成を示すブロック図である。なお、本実施形態では、複写機１８０２と複写機１８０３とは同じ構成を有しているものとするが、これに限定するものではなく、互いに異なる構成を有するものであっても良い。複写機１８０２，１８０３は、画像入力デバイスであるスキャナデバイスや画像出力デバイスであるプリンタデバイスと接続されている。さらに、ＬＡＮや電話回線などのネットワークと接続されており、画像データを送信あるいは受信することができる。
【０１２３】
同図において、ＣＰＵ１９０１は、ＲＡＭ１９０３に格納されているプログラムやデータを用いて、複写機全体の制御を行うと共に、複写機が行う後述の各処理を実行する。
【０１２４】
ＲＡＭ１９０３は、スキャナデバイス１９０７が読み取ることでスキャナ制御部１９０６を介して得られる画像データや、ネットワーク制御部１９０８を介して外部から受信するプログラムやデータ、ハードディスク１９１０からハードディスク制御部１８０９を介して得られるプログラムやデータ等を一時的に記憶する為のエリアを有する。また、ＲＡＭ１９０３は、ＣＰＵ１９０１が各種の処理を実行する際に用いるワークエリアも有する。即ち、ＲＡＭ１９０３は、各種のエリアを適宜提供することができる。
【０１２５】
プリンタ制御部１９０４はプリンタデバイス１９０５の動作制御を行う。プリンタデバイス１９０５は、画像や文字などを紙などの記録媒体上に記録する記録処理を行い、その記録方式には、感光体ドラムや感光体ベルトなどを用いた電子写真印刷方式や、微小ノズルアレイからインクを吐出して用紙上に直接画像を印字するインクジェット方式等がある。用いる方式は何れのものであっても良い。
【０１２６】
スキャナ制御部１９０６は、スキャナデバイス１９０７の動作制御を行う。スキャナデバイス１９０７は、ＣＣＤなどの光学読取装置を用いて、紙などの記録媒体上に記録された情報を画像データとして読み取り、ハードディスク１９１０やＲＡＭ１９０３に出力する。
【０１２７】
ネットワーク制御部１９０８は、ＬＡＮや電話回線などのネットワークに対して、画像データを送信あるいは受信するための制御を行う。
【０１２８】
ハードディスク制御部１９０９は、ハードディスク１９１０へのアクセス制御を行い、ハードディスク１９１０への書き込み処理や、ハードディスク１９１０からの読み出し処理を行う。ハードディスク１９１０には、ＯＳ（オペレーティングシステム）や、複写機が行う後述の各処理をＣＰＵ１９０１に実行させるためのプログラムやデータが保存されており、これらのプログラムやデータは、ＣＰＵ１９０１による制御に従って適宜ＲＡＭ１９０３にロードされる。
【０１２９】
また、ハードディスク１９１０には、「ボックス」と呼ばれるフォルダが格納されている。それぞれのボックスにはインデックス（例えば０〜９９）が付与されており、各ボックスにはスキャナデバイス１９０７により読み込まれた画像データや、ネットワーク制御部１９０８により外部から受信した画像データが格納される。
【０１３０】
入出力制御部１９１１は、ハードキー群１９１２やタッチパネル１９１３を用いてユーザが入力した各種の指示を受け、これを適切な信号でもってＣＰＵ１９０１に通知する。ハードキー群１９１２は、物理的に存在するボタン群でもって構成されている。タッチパネル１９１３は、周知の通り、各種の表示画面を表示すると共に、各種の指示を受け付けることができる。
【０１３１】
表示制御部１９１４は、ＬＣＤ１９１５やＬＣＤバックライト１９１６、ＬＥＤ１９１７を制御する。
【０１３２】
１９１８は操作パネルである。
【０１３３】
図３９は、コンピュータ１８０１のハードウェア構成を示すブロック図である。
【０１３４】
ＣＰＵ３８０１は、ＲＡＭ３８０２やＲＯＭ３８０３に格納されているプログラムやデータを用いてコンピュータ１８０１全体の制御を行うと共に、コンピュータ１８０１が行う後述の各処理を実行する。
【０１３５】
ＲＡＭ３８０２は、外部記憶装置３８０６からロードされたプログラムやデータ、Ｉ／Ｆ３８０７を介して外部から受信したプログラムやデータを一時的に記憶する為のエリアを有する。また、ＲＡＭ３８０２は、ＣＰＵ３８０１が各種の処理を実行する際に用いるワークエリアも有する。即ち、ＲＡＭ３８０２は、各種のエリアを適宜提供することができる。ＲＯＭ３８０３は、コンピュータ１８０１の設定データやブートプログラムなどを格納する。
【０１３６】
操作部３８０４は、キーボードやマウスなどにより構成されており、コンピュータ１８０１の操作者が操作することで、各種の指示をＣＰＵ３８０１に対して入力することができる。
【０１３７】
表示部３８０５は、ＣＲＴや液晶画面などにより構成されており、ＣＰＵ３８０１による処理結果を画像や文字などでもって表示する。また、後述する各設定画面なども表示する。
【０１３８】
外部記憶装置３８０６には、ＯＳ（オペレーティングシステム）や、コンピュータ１８０１が行う後述の各処理をＣＰＵ３８０１に実行させるためのプログラムやデータ、複写機１８０２，１８０３のドライバソフトウェアなどが保存されている。これらのプログラムやデータは、ＣＰＵ３８０１による制御に従って適宜ＲＡＭ３８０２にロードされる。そしてＣＰＵ３８０１はこのロードされたプログラムやデータを用いて処理を実行する。
【０１３９】
Ｉ／Ｆ３８０７は、コンピュータ１８０１を上記ネットワーク１８０４に接続するためのものであり、コンピュータ１８０１はこのＩ／Ｆ３８０７を介して複写機１８０２，１８０３とのデータ通信を行うことができる。
【０１４０】
３８０８は上述の各部を繋ぐバスである。
【０１４１】
次に、コンピュータ１８０１から、複写機１８０３にプリントを行わせる場合について説明する。
【０１４２】
図２０は、複写機１８０３のドライバソフトウェアを実行することで、コンピュータ１８０１の表示部３８０５の表示画面上に表示される印刷設定画面の表示例を示す図である。なお、以下の説明では、印刷設定画面などのＧＵＩ（グラフィカルユーザインターフェース）への操作入力は、コンピュータ１８０１のユーザが操作部３８０４を操作することによりなされるものとするし、その操作入力の結果行われる処理については、ＣＰＵ３８０１が行うものとする。
【０１４３】
ページ設定タブ２００１を指示すると、入出力原稿のサイズや面付けなどのページ設定を行う画面が表示部３８０５の表示画面上に表示される。
【０１４４】
仕上タブ２００２を指示すると、片面／両面印刷、とじ方向などの出力方法の設定を行う画面が表示部３８０５の表示画面上に表示される。
【０１４５】
給紙タブ２００３を指示すると、用紙の給紙方法の設定を行う画面が表示部３８０５の表示画面上に表示される。
【０１４６】
ＱＲコードタブ２００４を指示すると、プリント対象に付加するファイル（付加ファイル）の格納場所（ＵＲＬ（Ｕｎｉｆｏｒｍ Ｒｅｓｏｕｒｃｅ Ｌｏｃａｔｏｒ））、この付加ファイルが存在しなかった場合に行う処理、この処理を行うために用いるパラメータ、を設定する為の画面が表示部３８０５の表示画面上に表示される。
【０１４７】
同図では、ＱＲコードタブ２００４が指示された場合の印刷設定画面を示している。同画面において、リンク文書テキストフィールド２００５は、付加ファイルが格納されている場所を入力する為の領域である。以下説明する処理において、付加ファイルを獲得する際には、このフィールド２００５に入力された格納場所が検索されることになる。
【０１４８】
リンク切れ時リスト２００６は、フィールド２００５に入力した格納場所に付加ファイルが存在しなかった場合に行う処理を指定するためのメニュータブである。このタブメニューを指示すると、図２１に示すメニューが表示される。
【０１４９】
図２１は、付加ファイルが存在しない場合に行う処理を選択するためのメニューの表示例を示す図である。同図のメニューには、「類似文書検索」、「電子文書作成」、「メッセージ表示」、「問い合わせ」が表示され、ユーザは何れか１つの項目を選択することができる。
【０１５０】
「類似文書検索」を選択すると、プリント対象に付加したいファイル（フィールド２００５に入力した格納場所に存在していることが好ましいファイル）と類似するファイルをハードディスク１９１０から検索することで、付加ファイルの代わりに用いる情報を獲得する、という処理を設定する。
【０１５１】
「電子文書作成」を指示すると、スキャナデバイス１９０７より取得した画像を付加ファイルとして、フィールド２００５に入力した格納場所に格納する、という処理を設定する。これには上記特許文献１に記載の技術を用いる。
【０１５２】
「メッセージ表示」を指示すると、フィールド２００５に入力した格納場所に付加ファイルが存在しなかった場合には、所定のメッセージを表示部３８０５の表示画面上に表示する、という処理を設定する。
【０１５３】
「問い合わせ」を指示すると、フィールド２００５に入力した格納場所に付加ファイルが存在しなかった場合には、定型文書から成る電子メールを後述の設定画面で設定された送信先（例えば、付加ファイルを使用しようとするユーザの端末）に対して送信し、付加ファイルが検索されない旨を通知する、という処理を設定する。
【０１５４】
リンク切れ時リスト２００６より下方の領域に表示される内容は、リンク切れ時リスト２００６の選択内容により切り替えられる。同図では、リスト２００６により「類似文書検索」が選択されているので、リスト２００６より下方の領域には、検索範囲および検索条件を設定するための表示が成されている。
【０１５５】
領域２００７内には、類似文書の検索範囲を指定するためのラジオボタンが設けられている。同図では検索範囲として、「ドメイン」、「ホスト」、「フォルダ」があり、何れか１つを指示することができる。「ドメイン」を選択すると、検索範囲として複写機１８０２のドメイン（can.co.jp）が設定され、「ホスト」を選択すると検索範囲として複写機１８０２内の全ボックスが設定され、「フォルダ」を選択すると検索範囲としてフィールド２００５に入力した格納場所におけるボックスが設定される。もちろん、検索範囲としては様々なものが考えられ、これに限定するものではない。
【０１５６】
領域２００８内には、検索の条件を選択するためのラジオボタンが設けられている。同図では検索条件として、「キーワード」、「文書のハッシュコード」があり、何れか１つを指示することができる。「キーワード」を選択すると、キーワードテキストフィールド２００９がアクティブとなるので、このフィールド２００９に、クエリとして用いる検索語を入力することができる。一方、「文書のハッシュコード」を選択すると、プリント対象に付加したいファイル（フィールド２００５に入力した格納場所に存在していることが好ましいファイル）とハッシュコードが一致するファイルを検索することを検索条件として設定する。
【０１５７】
以上の設定を行った後、ＯＫボタン２０１０を指示すると、フィールド２００５に入力した格納場所、リスト２００６において選択した項目、そしてこの項目に応じて設定するパラメータ（同図の場合、領域２００７、２００８において選択したラジオボタンに対応する設定項目、「文書のハッシュコード」を選択した場合には領域２００９に入力した情報）を表すＱＲコードを作成し、プリント対象ファイルに付加して、印刷データとして複写機１８０２に送出する。複写機１８０２は、この印刷データに基づいて、プリンタデバイス１９０５によりプリント処理を行う。この結果得られる印刷物は、プリント対象ファイルの内容が記録された面上に、ＱＲコードが記録されているものとなる。この印刷物を以下では「ＱＲコード付き印刷物」と呼称する。
【０１５８】
図２２は、フィールド２００５に「IR0001.can.co.jp\BOX99\A商談資料」を入力し、リスト２００６において「類似文書検索」を選択し、領域２００７内で「ホスト」に対応するラジオボタンを指示し、領域２００８内で「文書のハッシュコード」に対応するラジオボタンを指示した場合に生成されるＱＲコードのデータ内容を示す図である。
【０１５９】
ＱＲコード中に収められたデータはプロパティ形式である。「LINK」はファイルの格納場所を示し、その値は格納場所を示すＵＲＬ（フィールド２００５に入力したＵＲＬ）である。「MISSING_METHOD」はリスト２００６において選択した項目を示し、その値は「類似文書検索」が設定されていることを表す値「SEARCH」である。「SEARCH_RANGE」は領域２００７内で指示したラジオボタンに対応する検索範囲であり、その値はホスト（「HOST」）である。「SEARCH_TERM」は領域２００８内で指示したラジオボタンに対応する検索条件であり、その値はハッシュコードの一致を表す値「HASHCODE」である。「HASHCODE_VALUE」は検索条件の値であるファイルのハッシュコードの値を表している。
【０１６０】
以上のように、コンピュータ１８０１は複写機１８０２のドライバソフトウェアを用いて、フィールド２００５に入力した格納場所、リスト２００６において選択した項目、そしてこの項目に応じて設定するパラメータを表すＱＲコードを作成することができるし、これを付与したプリント対象ファイルの印刷データを複写機１８０２に送出することができる。なお、送出先については特に限定するものではない。
【０１６１】
次に、以上のようにして作成されたＱＲコード付き印刷物を、複写機１８０２が有するスキャナデバイス１９０７により読み取る場合について説明する。
【０１６２】
図２３は、複写機１８０２が有するタッチパネル１９１３上に表示される操作画面の表示例を示す図である。以下の説明では、印刷設定画面などのＧＵＩ（グラフィカルユーザインターフェース）への操作入力は、複写機１８０２（説明の対象が複写機１８０３についてであれば、複写機１８０３）のユーザがタッチパネル１９１３やハードキー群１９１２を操作することによりなされるものとするし、その操作入力の結果行われる処理については、ＣＰＵ１９０１が行うものとする。
【０１６３】
コピータブ２３０１、送信／ファクスタブ０６０２、ボックスタブ２３０３は、複写機１８０２の機能を示すものであり、それぞれを指示することで、対応する機能を実行する。同図ではコピータブ２３０１が選択されているために、同図の画面はコピー機能の待機画面であるコピー標準画面となっている。
【０１６４】
応用モードキー２３０４は、詳細なコピー設定を行う応用モード画面に遷移するためのキーである。コピー標準画面上に表示されている他の操作キー等についての詳細な説明は省略するが、いずれもコピー設定に使用するものである。
【０１６５】
図２７は、以上のようにして作成されたＱＲコード付き印刷物を、複写機１８０２が有するスキャナデバイス１９０７により読み取った場合に、複写機１８０２、１８０３が行う処理のフローチャートである。
【０１６６】
なお、同図のフローチャート左側に示す処理を複写機１８０２のＣＰＵ１９０１に実行させるためのプログラムやデータは複写機１８０２のハードディスク１９１０に保存されている。そして、このプログラムやデータはＣＰＵ１９０１による制御に従って適宜ＲＡＭ１９０３にロードされる。そして、ＣＰＵ１９０１はこのロードされたプログラムやデータを用いて処理を実行することで、複写機１８０２は以下の説明において、複写機１８０２が行うものとして説明する処理を実行することになる。
【０１６７】
また、同図のフローチャート右側に示す処理を複写機１８０３のＣＰＵ１９０１に実行させるためのプログラムやデータは複写機１８０３のハードディスク１９１０に保存されている。そして、このプログラムやデータはＣＰＵ１９０１による制御に従って適宜ＲＡＭ１９０３にロードされる。そして、ＣＰＵ１９０１はこのロードされたプログラムやデータを用いて処理を実行することで、複写機１８０３は以下の説明において、複写機１８０３が行うものとして説明する処理を実行することになる。
【０１６８】
先ず、ステップＳ１００１において、複写機１８０２のスキャナデバイス１９０７は、ＱＲコード付き印刷物をスキャンし、この印刷物の画像データをＲＡＭ１９０３若しくはハードディスク１９１０に取得する。
【０１６９】
次に、ＣＰＵ１９０１はステップＳ１００２において、この画像データ中にＱＲコードが付与されているか否かをチェックする。このチェックについては周知の技術であるので、詳細な説明は省略する。
【０１７０】
このチェックの結果、ＱＲコードが付与されていない場合には、処理をステップＳ１０１２に進め、プリンタデバイス１９０５によって紙などの記録媒体上にこの画像データに従った画像をプリントする処理を行う。
【０１７１】
一方、ＱＲコードが付与されている場合には、処理をステップＳ１００３に進める。ステップＳ１００３では、ＱＲコードを解析し、付加ファイルの格納場所（記憶先情報）を得る。なお、この解析の結果、記憶先情報が得られなかった場合には処理をステップＳ１００４を介してステップＳ１０１２に進める。得られた場合には処理をステップＳ１００４を介してステップＳ１００５に進める。ステップＳ１００５では、図２４に例示する画面をタッチパネル１９１３の表示画面上に表示する。
【０１７２】
図２４は、ステップＳ１００３で検出した記憶先情報が示す格納場所に格納されている付加ファイルを取得してプリントするか否かをユーザに確認させるための画面の表示例を示す図である。同画面においてＯＫボタン２４０１を指示すると、処理をステップＳ１００６に進める。ステップＳ１００６では、ステップＳ１００３で検出した記憶先情報が示す格納場所に格納されている付加ファイルの取得要求を複写機１８０３に対して送信する。ここで、図２０の画面では、複写機１８０３内のボックス番号「９９」中の「Ａ商談資料」を付加ファイルとして指定しているので、この付加ファイルを複写機１８０３に対して要求する。
【０１７３】
複写機１８０３は、ステップＳ１００７にてこの要求を受け、ステップＳ１００８において、ハードディスク１９１０から要求された付加ファイルを検索する。そしてステップＳ１００９において、検索した結果を複写機１８０２に送信する。本ステップでは、検索が成功したのか、失敗したのかを送信すると共に、検索が成功した場合には検索した付加ファイルを送信する。
【０１７４】
複写機１８０２はステップＳ１０１０においてこの結果を受信すると、検索が成功したのか否かをチェックする。このチェックの結果、検索が失敗した場合には、図２８に示す処理に移行する。図２８に示す処理については後述する。
【０１７５】
一方、検索が成功した場合には、処理をステップＳ１０１１に進め、受信した付加ファイルをプリンタデバイス１９０５によりプリントする。
【０１７６】
なお、上述の通り、ステップＳ１００２においてＱＲコードが付加されていなかった場合や、ステップＳ１００４でＱＲコードから記憶先情報を検出できなかった場合には、通常のコピー処理とみなし、スキャンした原稿画像をそのままプリンタデバイス１９０５よりプリントする。
【０１７７】
図２８は、上記ステップＳ１０１０において、検索が失敗した場合に、複写機１８０２、複写機１８０３が行う処理のフローチャートである。
【０１７８】
先ずステップＳ１１０１では、ＱＲコードを解析し、図２０の画面において、リスト２００６でもって選択した処理を示す情報（代替処理情報）と、領域２００７，２００８，２００９を用いて指示したパラメータ（パラメタ情報）とを得る。
【０１７９】
次に、ステップＳ１１０２では、代替処理情報が得られたか否かをチェックし、得られなかった場合には処理をステップＳ１１１５に進め、タッチパネル１９１３の表示画面上に「リンク先に文書が見つかりませんでした。」などのエラーメッセージを表示する。
【０１８０】
一方、得られた場合には、処理をステップＳ１１０３に進める。ステップＳ１１０３では、図２５に例示する画面をタッチパネル１９１３の表示画面上に表示する。図２５は、付加ファイルに類似しているファイルを検索するので、その確認をユーザに行わせるための画面の表示例を示す図である。同図の画面は、リスト２００６によって、「類似文書検索」が選択されている場合のものであり、その他のメニューが選択されている場合には、表示内容は異なる。
【０１８１】
以下では、例として、フィールド２００５に「IR0001.can.co.jp\BOX99\A商談資料」を入力し、リスト２００６において「類似文書検索」を選択し、領域２００７内で「ホスト」に対応するラジオボタンを指示し、領域２００８内で「文書のハッシュコード」に対応するラジオボタンを指示した場合について説明する。
【０１８２】
同画面において、ＯＫボタン２５０１を指示すると、処理をステップＳ１１０４に進める。ステップＳ１１０４では、複写機１８０３の全てのボックスにおいて、指定のハッシュコードである類似ファイルの検索を、複写機１８０３に対して要求する。
【０１８３】
複写機１８０３は、この要求をステップＳ１１０５において受信すると、ステップＳ１１０６では、要求されたファイルの検索処理を開始する。この検索で１件でも見つかった場合には、処理をステップＳ１１０７に進め、検索結果（検索が成功したか否か）を複写機１８０２に送信する。なお、検索が成功した場合には、検索したファイルの格納場所（ＵＲＬ）も複写機１８０２に送信する。
【０１８４】
複写機１８０２はこの検索結果をステップＳ１１０８にて受信すると、この検索が成功したのか否かをチェックする。このチェックの結果、検索が成功している場合には、処理をステップＳ１１０９に進め、図２６に例示する画面をタッチパネル１９１３の表示画面上に表示する。
【０１８５】
図２６は、類似しているファイルが見つかった場合に表示する画面の表示例を示す図である。同図の画面において表示しているＵＲＬは、ステップＳ１１０８で受信したものである。
【０１８６】
同図の画面においてＯＫボタン２６０１を指示すると、処理をステップＳ１１１０に進める。ステップＳ１１１０では、この類似しているファイルを複写機１８０３に要求すると共に、ステップＳ１１０８で受信したＵＲＬを複写機１８０３に送信する。
【０１８７】
複写機１８０３はステップＳ１１１１においてこのＵＲＬを受信すると、ステップＳ１１１２では、このＵＲＬに対応する格納場所におけるファイルを取得し、ステップＳ１１１３にてこのファイルを複写機１８０２に送信する。
【０１８８】
複写機１８０２は、複写機１８０３から送信されたファイルをステップＳ１１１４において受信すると、これをプリンタデバイス１９０５によりプリントする。
【０１８９】
なお、ステップＳ１１０８において、検索が失敗していると判断した場合には、処理をステップＳ１１１６に進め、「類似文書は検索されませんでした。」などのエラーを表示する。
【０１９０】
以上の説明により、本実施形態によれば、付加ファイルが存在しない場合であっても、ユーザ自身による判断を生じさせることなく、付加ファイルを付加するファイルの作成者の意図どおりに、類似するファイルを検索し、プリントすることが可能である。
【０１９１】
［第５の実施形態］
本実施形態では、リスト２００６において「メッセージ表示」を選択した場合について説明する。なお、以下の説明では、第４の実施形態とは異なる点についてのみ説明する。即ち、以下説明する点以外については基本的には第４の実施形態と同じである。
【０１９２】
図２９は、リスト２００６において「メッセージ表示」を選択した場合に、表示部３８０５の表示画面上に表示される印刷設定画面の表示例を示す図である。同図の画面構成は、図２０に示した画面と比べて、領域２００７，２００８，２００９の代わりに、領域２９０１が表示されている点のみが異なる。即ち、上述の通り、リスト２００６によって選択した項目によって、リスト２００６以下の領域に表示する内容は異なる。
【０１９３】
領域２９０１には、領域２００５内に入力したＵＲＬにおける格納場所に付加ファイルが存在しなかった場合に、複写機１８０２のタッチパネル１９１３の表示画面上に表示させるメッセージを入力する。
【０１９４】
同図の画面においてＯＫボタン２０１０を指示すると、フィールド２００５に入力した格納場所、リスト２００６において選択した項目、そしてこの項目に応じて設定するパラメータ（同図の場合、領域２９０１内に入力したメッセージ）を表すＱＲコードを作成し、プリント対象ファイルに付加して、印刷データとして複写機１８０２に送出する。複写機１８０２は、この印刷データに基づいて、プリンタデバイス１９０５によりプリント処理を行う。この結果得られる印刷物を以下では「ＱＲコード付き印刷物」と呼称する。
【０１９５】
図３０は、フィールド２００５に「IR0001.can.co.jp\BOX99\A商談資料」を入力し、リスト２００６において「メッセージ表示」を選択し、領域２９０１内に「文書の有効期限が切れたので削除しました」なるメッセージを入力した場合に生成されるＱＲコードのデータ内容を示す図である。
【０１９６】
ＱＲコード中に収められたデータはプロパティ形式である。「LINK」については第４の実施形態と同じである。「MISSING_METHOD」はリスト２００６において選択した項目を示し、その値は「メッセージ表示」が設定されていることを表す値「SHOW_MESSAGE」である。「MESSAGE_VALUE」は、上記領域２９０１内に入力したメッセージを表している。
【０１９７】
次に、以上のようにして作成されたＱＲコード付き印刷物を、複写機１８０２が有するスキャナデバイス１９０７により読み取る場合に、複写機１８０２、１８０３が行う処理についてであるが、本実施形態が第４の実施形態と異なるのは、図２４の画面において、ＯＫボタン２４０１を指示した後に、付加ファイルが取得できなかった場合のみである。この場合、図３１に示す画面をタッチパネル１９１３の表示画面上に表示する。同図に示す如く、同画面上には、領域２９０１内に入力したメッセージが表示されている。
【０１９８】
以上の説明により、本実施形態によれば、付加ファイルが取得できない場合であっても、その際に表示する内容をあらかじめ設定しておくことができ、これによりユーザは付加ファイルが存在しない理由を理解することが可能となる。
【０１９９】
［第６の実施形態］
本実施形態では、リスト２００６において「問い合わせ」を選択した場合について説明する。なお、以下の説明では、第４の実施形態とは異なる点についてのみ説明する。即ち、以下説明する点以外については基本的には第４の実施形態と同じである。
【０２００】
また、本実施形態では、印刷設定画面を複写機１８０３のタッチパネル１９１３の表示画面上に表示させ、複写機１８０３側で印刷設定処理を行うものとする。
【０２０１】
図３２は、本実施形態に係るシステムの構成例を示すブロック図である。同図に示す如く、本実施形態に係るシステムは、第４の実施形態に係るシステムからコンピュータ１８０１を削除した構成となっている。
【０２０２】
以下では、複写機１８０３が有する操作パネル１９１８を操作して、ＱＲコード付き印刷物を出力する場合について説明する。
【０２０３】
複写機１８０３のタッチパネル１９１３の表示画面上には、図２３に示した画面が表示されているものとする。ここで、応用モード２３０４を指示すると、タッチパネル１９１３の表示画面上には、図３３に例示する画面が表示される。図３３は、応用モードにおける各種の設定を行うための画面の表示例を示す図である。同画面において、ボタン３３０１を指示すると、タッチパネル１９１３の表示画面上には、図３４に例示する画面が表示される。
【０２０４】
図３４は、複写機１８０３のタッチパネル１９１３の表示画面上に表示される印刷設定画面の表示例を示す図である。
【０２０５】
リンク文書キー３４０１を指示すると、ネットワーク上の他の複写機が検索され、その結果、タッチパネル１９１３の表示画面上には、検索された複写機中のボックスおよびそれらボックス中のファイルが表示される。そして、この画面上でもってボックスやボックス中のファイルを選択することができる。この選択されたファイルのパス情報が、領域３４０２内に表示される。また、この選択されたファイルが、付加ファイルとなる。
【０２０６】
リスト３４０３は、上記リスト２００６と同様のものである。同図では、「問い合わせ」を選択している。ここで、リスト３４０３により「問い合わせ」を選択すると、リスト３４０３よりも下部には、メールアドレスキー３４０５、領域３４０４が表示される。
【０２０７】
メールアドレスキー３４０５を指示すると、図３５に例示する画面が、タッチパネル１９１３の表示画面上に表示される。
【０２０８】
図３５は、メールアドレスを入力するための画面の表示例を示す図である。同図に示すソフトウェアキーボードを指示することで、メールアドレスを入力する。ソフトウェアキーボードを指示することで入力した文字列は、領域３５０２内に表示される。メールアドレスの入力が終了すると、ＯＫボタン３５０３を指示する。これにより、タッチパネル１９１３の表示画面上には再度、図３４に例示する画面が表示されると共に、領域３４０４内には、図３５の画面でもって入力したメールアドレスが表示される。
【０２０９】
なお、メールアドレスの入力形態については様々なものが考えられ、特に限定するものではない。
【０２１０】
以上の設定を行った後、ＯＫボタン３５０６を指示すると、フィールド３４０２に入力した格納場所、リスト３５０３において選択した項目、領域３４０４内に表示されているメールアドレスが、プリント設定に反映される。
【０２１１】
そして、タッチパネル１９１３やハードキー群１９１２を用いてプリント開始指示を入力すると、フィールド３４０２に入力した格納場所、リスト３５０３において選択した項目、領域３４０４内に表示されているメールアドレスを表すＱＲコードを作成し、プリント対象ファイルに付加して、プリンタデバイス１９０５によりプリント処理を行う。
【０２１２】
図３６は、フィールド３４０２に「IR0001.can.co.jp\BOX99\A商談資料」を入力し、リスト３４０３において「問い合わせ」を選択し、領域３４０４内にメールアドレス「cds@can.co.jp」を入力した場合に生成されるＱＲコードのデータ内容を示す図である。
【０２１３】
ＱＲコード中に収められたデータはプロパティ形式である。「LINK」については第４の実施形態と同じである。「MISSING_METHOD」はリスト３４０３において選択した項目を示し、その値は「問い合わせ」が設定されていることを表す値「ASK」である。「MAILADDRESS」は、上記領域３４０４内に入力したメールアドレス「cds@can.co.jp」を表している。
【０２１４】
次に、以上のようにして作成されたＱＲコード付き印刷物を、複写機１８０３が有するスキャナデバイス１９０７により読み取る場合に、複写機１８０２、１８０３が行う処理についてであるが、本実施形態が第４の実施形態と異なるのは、図２４の画面において、ＯＫボタン２４０１を指示した後に、付加ファイルが取得できなかった場合のみである。この場合、図３７に示す画面をタッチパネル１９１３の表示画面上に表示する。同図に示す如く、同画面上には、領域３４０４内に入力した送信先のメールアドレスが表示されている。
【０２１５】
ボタン画像３７０１は、送信元のメールアドレスを入力するための画面に移行するために指示するものであり、これを指示すると、図３５に例示した画面が表示されるので、この画面でもって送信元のメールアドレスを入力する。そしてこの画面においてＯＫボタン３５０３を指示すると、入力した送信元のメールアドレスが領域３７０２内に表示される。
【０２１６】
そして、ＯＫボタン３７０３を指示すると、送信先のメールアドレスで特定される送信先に電子メールを送信する。図３８は、送信される電子メールの内容の一例を示す図である。電子メール本文中には、領域３７０２内に入力した送信元メールアドレスが記載されているため、本電子メールの受信者は、付加ファイルが取得できなかった件について返信することとが可能である。
【０２１７】
以上の説明により、本実施形態によれば、付加ファイルを取得できない場合であっても、その際に問い合わせる相手の情報を事前に設定しておくことが可能であり、これによりユーザは付加ファイルの所在等や付加ファイルが取得できない理由について知り得ることが可能となる。
【０２１８】
また、複写機１８０３のタッチパネル１９１３の表示画面上に表示されるプリント設定を行う画面において、電子メールのメッセージを編集するようにしても良い。これにより、さらにユーザ利便性を向上させることが可能である。
【０２１９】
なお、第４の実施形態以降についても同様に、ＱＲコードの代わりに、電子透かし情報や、暗証コード等を用いても良い。
【０２２０】
また、付加ファイルの格納先は複写機中のボックスであるとしたが、その他の装置内に格納しても良い。
【０２２１】
また、以上の説明において、表示画面の構成やその操作方法、画面上における情報の特定操作方法などについては上記に限定するものではなく、適宜変形例が考えられる。また、複写機の構成についても、更に様々な機能が付加されたものを用いても良いし、その構成はスキャン機能や通信機能、プリント機能を有していれば、特に限定するものではない。
【０２２２】
［その他の実施形態］
また、本発明の目的は、以下のようにすることによって達成されることはいうまでもない。即ち、前述した実施形態の機能を実現するソフトウェアのプログラムコードを記録した記録媒体（または記憶媒体）を、システムあるいは装置に供給する。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【０２２３】
また、コンピュータが読み出したプログラムコードを実行することにより、そのプログラムコードの指示に基づき、コンピュータ上で稼働しているオペレーティングシステム（ＯＳ）などが実際の処理の一部または全部を行う。その処理によって前述した実施形態の機能が実現される場合も含まれることは言うまでもない。
【０２２４】
さらに、記録媒体から読み出されたプログラムコードが、コンピュータに挿入された機能拡張カードやコンピュータに接続された機能拡張ユニットに備わるメモリに書込まれたとする。その後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０２２５】
本発明を上記記録媒体に適用する場合、その記録媒体には、先に説明したフローチャートに対応するプログラムコードが格納されることになる。
【図面の簡単な説明】
【０２２６】
【図１】本発明の第１の実施形態に係る画像処理装置を適用する複写機の断面構成を示す図である。
【図２】本体１００の制御系に係るハードウェア構成を示すブロック図である。
【図３】画像処理部１とプリンタ部２の詳細な構成を示すブロック図である。
【図４】画像メモリ部３の詳細な構成を示すブロック図である。
【図５】操作部１７２の構成例を示す図である。
【図６】各応用機能モードの設定するための画面の表示例を示す図である。
【図７】ＨＤ３０４内に設けられるパーソナルボックスについて説明する図である。
【図８】パーソナルボックスの基本画面の表示例を示す図である。
【図９】オリジナル出力モードを設定したことによる複写機の動作を示す図である。
【図１０】図８に示した画面９０１ａ上におけるボタン画像９０３ａを指示した後に、図１１に示した画面において対応するパスワードを入力し、このパスワードが認証された場合に、表示パネル６２０上に表示される画面の表示例を示す図である。
【図１１】パーソナルボックス内に登録されている情報を参照するために、対応するパスワードを入力するための画面の表示例を示す図である。
【図１２】ファイルに対して変更処理を指示した場合に、複写機が行う処理のフローチャートである。
【図１３】識別情報が関連付けられているファイルに対する削除指示を入力した場合に、ステップＳ５０４において表示パネル６２０の表示画面上に表示される確認画面の表示例を示す図である。
【図１４】オリジナル出力機能に関する設定を行うか否かを確認するための画面の表示例を示す図である。
【図１５】現在選択されているファイルについて設定されているオリジナル出力機能の設定の詳細を表示するための画面の表示例を示す図である。
【図１６】ステップＳ５０４における変更処理に伴って更新される変更ログを示す図である。
【図１７】本発明の第３の実施形態に係るシステムの構成例を示す図である。
【図１８】本発明の第４の実施形態に係るシステムの構成を示す図である。
【図１９】複写機１８０２，１８０３のハードウェア構成を示すブロック図である。
【図２０】複写機１８０３のドライバソフトウェアを実行することで、コンピュータ１８０１の表示部３８０５の表示画面上に表示される印刷設定画面の表示例を示す図である。
【図２１】付加ファイルが存在しない場合に行う処理を選択するためのメニューの表示例を示す図である。
【図２２】フィールド２００５に「IR0001.can.co.jp\BOX99\A商談資料」を入力し、リスト２００６において「類似文書検索」を選択し、領域２００７内で「ホスト」に対応するラジオボタンを指示し、領域２００８内で「文書のハッシュコード」に対応するラジオボタンを指示した場合に生成されるＱＲコードのデータ内容を示す図である。
【図２３】複写機１８０２が有するタッチパネル１９１３上に表示される操作画面の表示例を示す図である。
【図２４】ステップＳ１００３で検出した記憶先情報が示す格納場所に格納されている付加ファイルを取得してプリントするか否かをユーザに確認させるための画面の表示例を示す図である。
【図２５】付加ファイルに類似しているファイルを検索するので、その確認をユーザに行わせるための画面の表示例を示す図である。
【図２６】類似しているファイルが見つかった場合に表示する画面の表示例を示す図である。
【図２７】作成されたＱＲコード付き印刷物を、複写機１８０２が有するスキャナデバイス１９０７により読み取った場合に、複写機１８０２、１８０３が行う処理のフローチャートである。
【図２８】ステップＳ１０１０において、検索が失敗した場合に、複写機１８０２、複写機１８０３が行う処理のフローチャートである。
【図２９】リスト２００６において「メッセージ表示」を選択した場合に、表示部３８０５の表示画面上に表示される印刷設定画面の表示例を示す図である。
【図３０】フィールド２００５に「IR0001.can.co.jp\BOX99\A商談資料」を入力し、リスト２００６において「メッセージ表示」を選択し、領域２９０１内に「文書の有効期限が切れたので削除しました」なるメッセージを入力した場合に生成されるＱＲコードのデータ内容を示す図である。
【図３１】本発明の第５の実施形態における表示例を示す図である。
【図３２】本発明の第６の実施形態に係るシステムの構成例を示すブロック図である。
【図３３】応用モードにおける各種の設定を行うための画面の表示例を示す図である。
【図３４】複写機１８０３のタッチパネル１９１３の表示画面上に表示される印刷設定画面の表示例を示す図である。
【図３５】メールアドレスを入力するための画面の表示例を示す図である。
【図３６】フィールド３４０２に「IR0001.can.co.jp\BOX99\A商談資料」を入力し、リスト３４０３において「問い合わせ」を選択し、領域３４０４内にメールアドレスを入力した場合に生成されるＱＲコードのデータ内容を示す図である。
【図３７】本発明の第６の実施形態における表示例を示す図である。
【図３８】送信される電子メールの内容の一例を示す図である。
【図３９】コンピュータ１８０１のハードウェア構成を示すブロック図である。
【図１】
2007249546.tif 000003
【図２】
2007249546.tif 000004
【図３】
2007249546.tif 000005
【図４】
2007249546.tif 000006
【図５】
2007249546.tif 000007
【図６】
2007249546.tif 000008
【図７】
2007249546.tif 000009
【図８】
2007249546.tif 000010
【図９】
2007249546.tif 000011
【図１０】
2007249546.tif 000012
【図１１】
2007249546.tif 000013
【図１２】
2007249546.tif 000014
【図１３】
2007249546.tif 000015
【図１４】
2007249546.tif 000016
【図１５】
2007249546.tif 000017
【図１６】
2007249546.tif 000018
【図１７】
2007249546.tif 000019
【図１８】
2007249546.tif 000020
【図１９】
2007249546.tif 000021
【図２０】
2007249546.tif 000022
【図２１】
2007249546.tif 000023
【図２２】
2007249546.tif 000024
【図２３】
2007249546.tif 000025
【図２４】
2007249546.tif 000026
【図２５】
2007249546.tif 000027
【図２６】
2007249546.tif 000028
【図２７】
2007249546.tif 000029
【図２８】
2007249546.tif 000030
【図２９】
2007249546.tif 000031
【図３０】
2007249546.tif 000032
【図３１】
2007249546.tif 000033
【図３２】
2007249546.tif 000034
【図３３】
2007249546.tif 000035
【図３４】
2007249546.tif 000036
【図３５】
2007249546.tif 000037
【図３６】
2007249546.tif 000038
【図３７】
2007249546.tif 000039
【図３８】
2007249546.tif 000040
【図３９】
2007249546.tif 000041